(57)【要約】【課題】視認性を高めて、位置や所在などを確実に伝達する。【解決手段】杖１０は、透光性を有する支柱１４及びケース２６からなる本体１２，グリップ３０，石突き２８により構成される。支柱１４には、つや消し部１６と透明部１８が交互に形成されており、その下端には、白色反射板２２が密着しないようにキャップ２０により設けられている。また、支柱１４の上端には、発光ダイオード５０が設けられており、その電源である電池３２がグリップ３０内部に設けられている。電池３２と発光ダイオード５０は、スイッチ３４を経由して接続されており、スイッチ３４をＯＮにして発光ダイオード５０を点灯させると、支柱１４に導入された光は、透明部１８によって支柱１４の下端まで導かれるようになり、任意の位置に形成したつや消し部１６を均一に発光させることができる。【選択図】　　　図１
2004103373.tif 000002
【特許請求の範囲】
【請求項１】
透光性を有する長尺の透明体，
該透明体の表面の少なくとも一部に形成されたつや消し部，
前記透明体の一端を覆うキャップ，
該キャップの内側に設けられており、前記透明体の一端との間に非密着状態となるように設けられた白色反射体，
前記透明体の他端から透明体に光を照射する光源，
前記透明体の表面を覆うとともに、該透明体の発光を外部に伝達するケース，を備えたことを特徴とする発光装置。
【請求項２】
前記ケースが透光性を有することを特徴とする請求項１記載の発光装置。
【請求項３】
前記ケースが非透光性であって、前記つや消し部に対応する位置に発光窓を備えたことを特徴とする請求項１記載の発光装置。
【請求項４】
透光性を有する長尺の透明体，
前記透明体の一端側に設けられており、前記透明体の一端との間に非密着状態となるように設けられた白色反射体，
前記透明体の他端から透明体に光を照射する光源，
前記透明体の表面を覆うとともに、該透明体の表面と非密着状態で接する半透光性の導光ケース，
を備えたことを特徴とする発光装置
【請求項５】
前記光源の点灯及び消灯を切り替えるスイッチ手段を設けたことを特徴とする請求項１〜４のいずれかに記載の発光装置。
【請求項６】
請求項１〜５のいずれかに記載の発光装置を利用したことを特徴とする発光物。
【請求項７】
前記発光物が、杖，浮き，スキーストック，装飾品，衣類，救助具，傘の部品のいずれかであることを特徴とする請求項６記載の発光物。
【請求項８】
透光性を有する透明体，
該透明体のいずれかの面に設けられた表示パターン，
前記表示パターンが設けられた面を覆う遮光性の背面板，
前記透明体及び背面板の端面を嵌合部に挟み込んで固定する枠，
前記嵌合部の内側に設けられており、前記端面と非密着状態となるように設けられた白色反射体，
前記透明体と一体に形成されており、該透明体に光を照射する光源，
を備えるとともに、
前記透明体が、前記光源と一体に形成された部分と、前記表示パターンが設けられた部分とで分割可能であることを特徴とする表示器具。
【請求項９】
前記表示パターンが、金属を含有しない塗料もしくはシールで形成されていることを特徴とする請求項８記載の表示器具。
【発明の詳細な説明】
【０００１】
【発明の属する技術分野】
本発明は、発光装置及びそれを利用した発光物，表示器具に関し、特に、透明体に光を導入するようにしたときの視認性の改良に関するものである。
【０００２】
【背景技術】
発光により視認性を高めるのが好適な例として、例えば、高齢者や傷病者等が歩行の補助のために利用する杖ないしステッキがある。杖は、昼間のみならず、夜間や暗所においても利用者の安全を確保するために、周囲からの視認性を向上させる必要があり、従来より、白く着色したり、反射テープを貼り付けたりした杖が提供されている。しかしながら、着色塗料や反射テープ自体には発光機能がないため、車両などのライトが的確にテープなどを捕らえない限り、その運転者に杖やその利用者の所在を明確に知らせることは困難である。そのため、より視認性を高めた杖が求められている。
【０００３】
このような要求に対して、杖自体が発光するものとしては、棒状体の上端部に設けられた柄部の後端側に、小型電池に接続されて点滅を繰り返す赤色警告灯を設けるとともに、その前端側に前記小型電池に接続されて常灯可能な照明灯を設けた杖がある（例えば、特許文献１参照）。また、柄部もしくは軸部内に電池及び電源回路を内装するとともに、軸部を透光性の樹脂で形成し、該軸部内にＥＬファイバーを挿通あるいは収容した杖（例えば、特許文献２参照）などがある。
【０００４】
上述した杖のほか、視認性が高いほうが好都合なものとして、各種名前やマーク等の表示物がある。例えば、青地に白で描かれた車椅子マークは、バスや公共トイレなどに表示されるほかにも、周囲や他車に配慮・注意などを求めるために、車椅子使用者や障害者などが乗車することがある自動車の車体などに貼り付けられる。このような、いわゆる車椅子マークとしては、所定のマークが印刷ないし塗装されたアクリル樹脂のプレートの裏面に接着テープなどを設けたシール式のものや、裏面が磁石になっており車体に着脱自在のものなどがある。
【０００５】
【特許文献１】
登録実用新案第３０３０６９３号公報（第２，４−７頁，第５図）
【特許文献２】
特開２００１−１６９８１８号公報（第１−６頁，第１−５図）
【０００６】
【発明が解決しようとする課題】
しかしながら、以上のような背景技術には次のような不都合がある。
（１）特許文献１の杖は、手で握る柄の部分の前方又は後方のみが光るため、側方から近づく場合に杖の位置を確認しにくかったり、手や衣服あるいは荷物などで点灯部分が隠れたりする恐れがある。
（２）特許文献２の杖は、透光性の軸部の内側に、長手方向のほぼ全体に渡ってＥＬファイバーが挿通あるいは収容されているため、軸部全体が発光してしまう。このため、全体を発光させる必要がない場合や、所望の位置のみを発光させたい場合に対応することができない。
（３）上述した従来の車椅子マークは、プレートに印刷や塗装などで表示内容を示しているため、プレート自体が大きいものでない場合には、視認性が低く、表示効果に乏しい。特に、車椅子マークのように、注意を促すための表示においては、その目的を十分に達成することができない。更に、昼間の明るい時刻においては表示された内容を確認することができても、夜間やトンネルなどの暗所においては、視認性が顕著に低下することが避けられないという不都合がある。
【０００７】
この発明は、以上の点に着目したもので、視認性を高めることにより、位置や所在あるいは表示パターンの内容などを確実に伝達することができる発光装置及びそれを利用した発光物，表示器具を提供することを、その目的とするものである。
【０００８】
【課題を解決するための手段】
前記目的を達成するため、本発明の発光装置は、透光性を有する長尺の透明体，該透明体の表面の少なくとも一部に形成されたつや消し部，前記透明体の一端を覆うキャップ，該キャップの内側に設けられており、前記透明体の一端との間に非密着状態となるように設けられた白色反射体，前記透明体の他端から透明体に光を照射する光源，前記透明体の表面を覆うとともに、該透明体の発光を外部に伝達するケース，を備えたことを特徴とする。
【０００９】
他の発明の発光装置は、透光性を有する長尺の透明体，前記透明体の一端側に設けられており、前記透明体の一端との間に非密着状態となるように設けられた白色反射体，前記透明体の他端から透明体に光を照射する光源，前記透明体の表面を覆うとともに、該透明体の表面と非密着状態で接する半透光性の導光ケース，を備えたことを特徴とする。主要な形態の１つは、前記いずれかの発光装置において、前記光源の点灯及び消灯を切り替えるスイッチ手段を設けたことを特徴とする。
【００１０】
本発明の発光物は、前記いずれかの発光装置を利用したことを特徴とする。主要な形態では、前記発光物が、杖，浮き，スキーストック，装飾品，衣類、救助具，傘の部品のいずれかであることを特徴とする。
【００１１】
本発明の表示器具は、透光性を有する透明体，該透明体のいずれかの面に設けられた表示パターン，前記表示パターンが設けられた面を覆う遮光性の背面板，前記透明体及び背面板の端面を嵌合部に挟み込んで固定する枠，前記嵌合部の内側に設けられており、前記端面と非密着状態となるように設けられた白色反射体，前記透明体と一体に形成されており、該透明体に光を照射する光源，を備えるとともに、前記透明体が、前記光源と一体に形成された部分と、前記表示パターンが設けられた部分とで分割可能であることを特徴とする。主要な形態では、前記表示パターンが、金属を含有しない塗料もしくはシールで形成されていることを特徴とする。本発明の前記及び他の目的，特徴，利点は、以下の詳細な説明及び添付図面から明瞭になろう。
【００１２】
【発明の実施の形態】
＜実施形態１＞……以下、本発明の実施の形態について詳細に説明する。最初に、図１を参照して、本発明の実施形態１について説明する。図１は、本実施形態の構成を示す図であり、同図（Ａ）は断面図，同図（Ｂ）は、光源である発光ダイオードの接続部分を拡大して示す図である。本実施形態は、本発明を歩行補助用の杖（ないしステッキ）に適用したものであり、杖自体の位置やその利用者の所在を周囲に明確に示すものである。
【００１３】
杖１０は、本体１２の上端に、連結部４０を介してグリップ３０が設けられるとともに、下端側には地面と接する石突き２８が設けられている。また、本体１２とグリップ３０が連結する位置，すなわち連結部４０の内側には、光源である発光ダイオード５０が収納されている。前記本体１２は、略円柱状に形成された支柱１４と、該支柱１４の周囲に設けられた略円筒状のケース２６により構成されている。これら支柱１４及びケース２６は、いずれも透光性の部材によって形成されており、例えば、樹脂やガラスなどが利用される。
【００１４】
支柱１４の表面には、透明部１８と交互に段を形成するように、長手方向に複数段のつや消し部１６が形成されている。該つや消し部１６は、例えば、白色塗料を蒸着して形成する。このほかにも、支柱１４の材料としてアクリル樹脂を利用する場合には、アクリル樹脂全体を４０℃程度に温めた状態で、乳白色のパール塗料をスプレー塗布するなど、その形成方法は任意である。
【００１５】
このような支柱１４の下端部には、これを覆うキャップ２０が設けられている。該キャップ２０の内側には、光を反射するための白色反射板２２が設けられている。なお、キャップ２０の内側に設ける反射体としては、白色反射板２２の代わりに白色塗料としてもよく、あるいは白色テープなどであってもよい。このようなキャップ２０は、前記白色反射板２２が、支柱１４の下端部と密着しないように、支柱１４の下端部を覆うように取り付けられる。また、支柱１４の上端側には、発光ダイオード５０を埋め込むための穴２４が形成されている。このような支柱１４は、透光性を有するケース２６により、ほぼ全体が覆われている。そして、ケース２６の下端部には、これを覆うための石突き２８が設けられる。該石突き２８は、どのような材質のものであってもよいが、利用者の体重を受けたときに本体１２の先端が破損したりすることがなく、かつ、地面を突いたときの衝撃を吸収するという観点から、例えば、ゴム材などが好適である。
【００１６】
次に、グリップ３０は、内部が中空となっており、その中に、前記発光ダイオード５０の電源である電池３２が設けられている。また、グリップ３０の外側には、発光ダイオード５０の点灯及び消灯を切り替えるためのスイッチ３４が設けられている。そして、前記電池３２の図示しない一方の端子と接続したリード線３７は、スイッチ３４及びリード線３８を経由して発光ダイオード５０の図示しない端子に接続され、更に、電池３２と発光ダイオード５０のもう一方の端子同士は、リード線３９により接続されている。これらリード線３７〜３９は、いずれもグリップ３０の内側に収納されている。また、グリップ３０の下端側外周には、連結部４０の上端４２Ａの内側に形成されたネジ部４４と螺合するネジ部３６が形成されている。
【００１７】
発光ダイオード５０は、チップ５２を封止する樹脂モールド５４が、前記支柱１４の上端の穴２４に嵌り合う形状に形成されており、その隙間は、例えば、液体シリコン５８によって埋められ、穴２４と樹脂モールド５４が密着される。なお、ここでは、支柱１４に形成された穴２４に発光ダイオードを埋め込むこととしたが、樹脂モールド５４の先端を鏡面仕上げした平面とし、該平面を支柱１４の上端面に直に当接するようにしてもよい。前記チップ５２は、基部５６を介して、リード線３７〜３９により、スイッチ３４を経由して電池３２に接続されている。
【００１８】
上述した各部を組み立てるときには、例えば、本体１２の下端部に石突き２８を取り付け、支柱１４の穴２４に液体シリコン５８を塗布しておき、グリップ３０のネジ部３６と連結部上端４２Ａ側のネジ部４４を螺合させて連結した状態で、発光ダイオード５０の樹脂モールド５４が、支柱１４の穴２４に嵌るように、連結部４０の下端部４２Ｂをケース２６の上端側に取り付ける。
【００１９】
次に、本実施形態の作用を説明する。スイッチ３４をＯＮにして発光ダイオード５０を点灯すると、発光ダイオード５０から発せられた光は、支柱１４の内部に入射する。入射した光のうち透明部１８に達した光は、そこで反射されるようになる。一方、つや消し部１６に達した光は、つや消し部１６で乱反射される。すなわち、支柱１４に進入した光は、主として、透明部１８によって長手方向に導かれるとともに、つや消し部１６で乱反射されて外部から見ると、透光性のケース２６を介して発光しているように観察される。更に、支柱１４の下端に達した光は、キャップ２０の白色反射板２２によって再び支柱１４内に反射される。なお、暗所などで利用する場合以外には、スイッチ３４をＯＦＦにすることにより、発光ダイオード５０からの光の照射をストップさせて、電池３２の消耗を防ぐことができる。
【００２０】
このように、本実施形態によれば、透光性の支柱１４の表面につや消し部１６を設けるとともに、上端部に発光ダイオード５０を設け、下端部には密着しない白色反射板２２を設けることとしたので、透明部１８によって光が支柱１４の下端まで導かれるようになり、任意の位置に形成したつや消し部１６を均一に発光させることができる。これにより、暗所における視認性が向上し、杖１０の位置やその利用者の所在を、周囲に明確に示すことができる。また、スイッチ３４を設けて発光ダイオード５０による光の照射のＯＮ／ＯＦＦを切り換え可能としたので、電池３２の消耗を防止することができる。
【００２１】
＜実施形態２＞……次に、図２を参照して、本発明の実施形態２について説明する。本実施形態も、上述した実施形態と同様に、本発明を杖に適用したものである。上述した実施形態では、本体を構成するケースを透光性を有する材料を利用して形成することとしたが、本形態では、ケース自体が非透光性である場合について説明する。なお、上述した形態と同一あるいは対応する構成要素には、同一の符号を用いることとする。
【００２２】
本実施形態の杖７０は、本体７２の上端に、連結部４０を介してグリップ３０が設けられており、下端には石突き２８が設けられている。また、連結部４０の内部には、光源である発光ダイオード５０が設けられている。石突き２８，グリップ３０，連結部４０，発光ダイオード５０の構成は、上述した実施形態と同様である。
【００２３】
本体７２は、略円筒状に形成された透光性の支柱７４と、該支柱７４の表面に密着しないように設けられた略円筒状のケース８０により構成されている。該ケース８０は、非透光性の材料であればどのようなものであってよいが、例えば、軽量化の観点から、アルミニウム製のパイプなどが利用される。前記支柱７４には、上述した実施形態と同様に、透明部７８と交互に位置するように、蒸着などの任意の手段でつや消し部７６が形成される。なお、つや消し部７６は、前記形態のように全周に施してもよいが、まだら模様のようなものであってもよい。前記ケース８０には、前記つや消し部７６に対応する位置に、支柱７４の発光を外部に伝えるための発光窓８２が設けられている。なお、支柱７４の下端部には、上述した形態と同様のキャップ２０が設けられている。
【００２４】
本実施形態の基本的な作用・効果は、基本的には上述した実施形態１と同様であり、発光ダイオード５０から支柱７４に進入した光は、主として透明部７８によって長手方向に導かれるとともに、つや消し部７６で乱反射され、更に下端側のキャップの内側に設けられた白色反射板（図示せず）により再び支柱７４内に反射される。このため、外部から見ると、非透光性のケース８０に設けられた発光窓８２から発光しているように観察される。このように、発光窓８２を設けることにより、非透光性のケース８０を利用した場合でも、杖７０の発光機能を妨げることがないため、ケース８０として各種材質のものを利用することが可能となる。
【００２５】
＜実施形態３＞……次に、図３を参照して本発明の実施形態３について説明する。本実施形態は、本発明を釣り用の浮きに適用したものである。同図（Ａ）は、本形態の断面図であり、同図（Ｂ）は電池接続部分を拡大して示す図である。浮き９０は、光源である発光ダイオード１１０を収納した浮き本体９１と、前記発光ダイオード５０の電源である電池９８を収納する電池ケース９６により構成されている。本実施形態では、電池９８は、ピン状のマイナス端子１００と、溝状のプラス端子１０２を有するピン型リチウム電池を用いることとしたが、もちろん、他の種類・形状の電池であってもよい。前記本体９１は、その先端側の発光部９２と、収納部９４が連続した構造となっている。
【００２６】
本体９１は、透光性の部材によって略円柱状に形成されたポール１０４と、その周囲を覆うケース１０６により構成されている。ポール１０４の底部側（電池ケース９６側）には、発光ダイオード１１０が設けられている。発光ダイオード１１０は、チップ１１１の先端を封止するモールドがポール１０４と一体となった構造，すなわち、ポール１０４の底部側にチップ１１１が埋め込まれた構造となっている。チップ１１１の図示しない端子の一方は、基部１１２に形成された受部１１４及びリード線１１６を介して、電池９８のマイナス端子１００に接続される。なお、マイナス端子１００は、前記受部１１４に差し込まれる構成となっている。
【００２７】
前記ポール１０４及び発光ダイオード１１０の外側に設けられるケース１０６は、半透光性の導光ケースである。ケース１０６は、発光部９２に該当する部分が、ポール１０４の表面と密着しない程度に接触する径となっており、収納部９４に該当する部分は、ポール１０４の表面と全く接触しないような径に設定されている。ケース１０６の発光部９２側の端部には、ポール１０４の先端と密着しないように、反射体として白色テープ（あるいは乳白テープ）１０７が設けられている。また、電池ケース９６側のもう一方の端部には、前記電池９８のプラス端子１０２と接触するための接触部１０８が設けられており、リード線１１８を介して、前記チップ１１１のもう一方の端子に接続されている。このようなケース１０６は、半透光性を有する樹脂，例えば、ポリプロピレンや塩化ビニルなどにより形成されており、ポール１０４に照射された光を反射しやすいという観点からは内側は白色ないし乳白色であることが好ましい。更に、ケース１０６は、電池９８のプラス端子１０２とリード線１１８との電気的な接続が可能であるように、導電性を有している。
【００２８】
次に、本実施形態の作用を説明する。電池９８を本体９１の底部に差し込み、次いで、電池９８の露出部分を電池ケース９６に収納すると、リード線１１６及び１１８を介して電池９８と発光ダイオード１１０が接続され、発光ダイオード１１０が点灯する。発光ダイオード１１０から発せられた光は、ポール１０４の内部に入射する。入射した光のうち、発光部９２に達した光は、非密着状態で接触するケース１０６により良好に反射するため、外部から見ると、半透光性のケース１０６の先端が発光しているように観察される。更に、発光部９２の先端まで達した光は、ケース１０６の白色テープ１０７により、ポール１０４に反射される。なお、図示しないが、発光部９２を複数に色分けして塗装してもよく、その場合、色により発光の程度が異なる。
【００２９】
一方、収納部９４においては、ポール１０４とケース１０６間は全く接触がないため、光が反射されず、外部から見ても発光しているようには見えない。なお、本実施形態では、本体９１の先端のみを発光させることとしたが、ポール１０４とケース１０６をほぼ全体に渡って非密着状態で接触させることにより、全体が発光するようにしてもよい。このように、本実施形態によれば、浮き９０を遠くまで飛ばしたときや夜釣りの場合などでも、良好に浮き９０の位置を確認することができる。
【００３０】
＜実施形態４＞……次に、図４を参照して、本発明の実施形態４について説明する。本実施形態は、本発明を車椅子マークの表示に適用したものである。車椅子マーク１５０は、自動車の後部ガラスの内側に取り付けられており、自動車に、車椅子利用者や障害者などが乗車していることを周囲の車両などに知らせるものである。図４（Ａ）は、本実施形態を分解した状態を示す斜視図であり、同図に示す矢印方向から透明板を見た状態が同図（Ｂ）に示されている。
【００３１】
車椅子マーク１５０は、図４に示すように、所定のマーク１５８が背面に形成された略正方形の透明板１５２，該透明板１５２と略同一形状に形成されており、透明板１５２の背面に設けられる背面板１７０，これら各部の端面を覆って固定する枠１６０を中心に構成されている。前記透明板１５２は、マーク１５８が形成された主部１５４と、その両端面に設けられる照射部１５６とに分割可能に構成されている。前記照射部１５６には、光源である発光ダイオードのチップ１６６が埋め込まれた状態となっており、端面から露出した基部１６４を介して端子１６８が引き出されている。すなわち、照射部１５６の本体がチップ１６６を封止する樹脂モールドを兼ねるように一体に形成された構成となっている。このような照射部１５６と主部１５４は同じ材料により構成されており、互いの鏡面仕上げした端面同士を突き合わせて枠１６０に固定される。
【００３２】
前記透明板１５２としては、光を透過する透光性の透明な板材であればよく、例えば、アクリル板やガラス板等が用いられるが、用途に応じて各種材質のものを用いてもよい。このような透明板１５２の主部１５４の背面１５４Ｂにマーク１５８を形成するには、例えば、所定の車椅子のマークの形状の切抜き部を有する型板を、主部背面１５４Ｂに重ね、ノズルから塗料を吹付けるようにする。塗料としては、各種の塗料を利用することができるが、例えば、透明板１５２としてアクリル板を利用する場合には、マーク１５８が透明板１５２に確実に付着するようにアクリル系の塗料を用いる。更に、金属などの反射性の成分を含有しない塗料を利用することにより、車椅子マーク１５０の使用状態において、マーク１５８を明瞭に表示することができる。塗料中に金属が存在すると、塗料を塗布した部分が鏡面にならず黒ずんでしまい、良好な表示を得ることができない。また、塗料の色は、各種の色を利用することができるが、本実施形態では、青地に白の車椅子マークを作成するため、白の塗料を使用してマーク１５８を形成する。マーク１５８の形成はこの他にも、シルクスクリーン印刷などによって行うようにしてもよいし、マーク１５８が印刷されたシールなどを透明板主部１５４の背面１５４Ｂに貼付するようにしてもよい。
【００３３】
以上のようにしてマーク１５８が形成された透明板１５２の背面には、同図（Ａ）に示すように、該透明板１５２と略同一形状の背面板１７０が重ねられる。該背面板１７０は、遮光性の板材などで構成されており、本実施形態の場合は、表面が青色に塗装されている。このとき、青色の色調を変化させることにより、遮光度合を調整してマーク１５８のコントラストを変えることが可能である。
【００３４】
これら透明板１５２及び背面板１７０の端面の周囲には、透明板１５２に入った光を反射するための白色テープ（フィルムやシートも含む）１６１が設けられる。端面に該白色テープ１６１を密着させると、良好な反射が行われなくなる。このような観点から、前記端面に対して非密着状態（ないし空気層が介在する状態）となるように、枠１６０の内側に白色テープ１６１を貼り付ける。なお、白色テープ１６１としては、ビニールテープなど各種の公知のものを利用してよい。白色以外の色のものを使用することを妨げるものではないが、光を反射する程度は低くなる。
【００３５】
枠１６０は、前記透明板１５２及び背面板１７０を重ねた状態で、その端面を溝状の嵌合部１６３に嵌め込むことによって固定するもので、嵌合部１６３の内側には前記白色テープ１６１が貼り付けられている。また、枠１６０の角には、発光ダイオードの基部１６４および端子１６８を外部に引き出すための穴１６２が形成されている。図示の例では、２つのチップ１６６を透明板１５２の対角近傍にそれぞれ埋め込むこととしたが、照射部１５６の同一端面に複数設けるようにしてもよいし、その位置も任意に変更してよい。更に、一つのチップ１６６のみを設けることを妨げるものではない。照射部１５６も、同様に単数・複数いずれであってもよいし、位置も適宜設定してよい。なお、白色テープ１６１は、上述したように、端面に完全に密着した状態でなければよく、一部が端面に接触していても十分効果的である。
【００３６】
次に、本実施形態の作用を説明する。図示しない電源から電気を供給して通電し、発光ダイオードを点灯させ、透明板１５２の端面から光を照射すると、照射された光は、透明板１５２の内部に入射する。このとき、透明板１５２の背面には遮光性の背面板１７０が設けられており、透明板１５２と背面板１７０の端面側，すなわち、枠１６０の嵌合部１６３の内側には、白色テープ１６１が設けられているため、透明板１５２に入射した光は、これら端面や背面から外部に散乱するのが防止されて内部全体に拡散し、塗料で形成されたマーク１５８で散乱される。このマーク１５８による光の散乱によって、光が透明板１５２から外部に射出されるようになる。
【００３７】
一方、背面板１７０側に散乱した光は、背面板１７０によって吸収されるようになる。このような状態の車椅子マーク１５０を外部から見ると、透明板１５２からマーク１５８が浮き上がっているように観察され、マーク１５８の表示する内容を明瞭に確認することができる。なお、ダイオードが切れた場合には、枠１６０から透明板１５２を取り外し、更に、透明板１５２を主部１５４と照射部１５６に分割し、照射部１５６のみを交換する。そして再び主部１５４の端面と突き合わせた状態で、枠１６０に嵌合し、固定する。
【００３８】
このように、本実施形態によれば、透光性の透明板１５２の背面にマーク１５８を形成し、該透明板１５２の背面を背面板１７０で覆うとともに、これら各部の端面を固定する枠１６０の内側に、前記端面と非密着状態で反射性の白色テープ１６１を設け、前記透明板１５２の端面から発光ダイオードの光を該透明板１５２内に導入することとした。このため、マーク１５８部分が発光し、昼間はもちろんのこと、夜間や暗い場所などにおいても、極めて明瞭にマーク１５８を視認することができる。特に、夜間や暗所においては表示内容の発光で表示の確認が行えるため、警報の表示，名前等の表示，装飾等多目的の用途に使用することができる。
【００３９】
また、本形態では、透明板１５２と光源を一体に形成した構成となっているため、作業性の向上を図ることができるとともに、枠１６０と透明板１５２との嵌合部分の構造を簡単にすることができる。更に、前記透明板１５２を、マーク１５８が形成された主部１５４と、発光ダイオードと一体化した照射部１５６とに分割可能な構成としたので、光源が切れた場合には照射部１５６のみを交換するだけでよい。
【００４０】
＜他の実施形態＞……本発明には数多くの実施形態があり、以上の開示に基づいて多様に改変することが可能である。例えば、次のようなものも含まれる。
（１）前記形態で示した杖，浮き，車椅子マークはいずれも一例であり、必要に応じて、デザイン，構成，サイズ，色彩などを適宜変更してよい。例えば、前記実施形態２のケース８０に設ける発光窓８２の形状を変更し、デザイン性に富んだものにしてもよい。
（２）本発明の発光装置は、上述の歩行補助用の杖や浮きのほか、例えば、スキーストック，傘の石突きや中棒，ヘアピンなどの装飾品，ライフジャケットなどに対して適用できる。また、本発明の表示器具は、車椅子マークに限らず、各種ディスプレイや表示，宣伝，インフォメーション，その他の各種の情報などを表示するものに適用してよい。
（３）本発明で利用する透明体としては、ガラスやアクリル樹脂，ポリカーボネート樹脂などの材質のほか、一般的に透光性を有する材質であれば、どのようなものでも適用可能である。また、透明体は無色・透明が好ましい。
（４）前記実施形態では、光源として発光ダイオードを用いたが、他の光源，例えば冷陰極管などを用いてよい。
【００４１】
【発明の効果】
以上説明したように、本発明によれば、次のような効果がある。
（１）一端に光源を設けた透明体の表面につや消し部を設け、該透明体の他端には密着しない白色反射体を設けるとともに、該透明体の周囲に、発光を外部に伝達可能なケースを設けることとしたので、前記つや消し部を除いた透明部分に達した光により、所望の位置に設けたつや消し部を発光させ、暗所における視認性を向上させることができる。
【００４２】
（２）透明体の一端に光源を設け、他端には密着しない白色反射体を設けるとともに、前記透明体の周囲を覆い、かつ、該透明体の表面と非密着状態で接する半透光性の導光ケースを設けることとしたので、前記透明体に入射した光が、前記ケースによって反射するとともに、該ケースを介して外部に向けて発光する。これにより、前記ケースが設けられた位置を、均一に発光させることができる。
【００４３】
（３）透明体のいずれかの面に表示パターンを形成し、該表示パターン形成面を背面板で覆うとともに、これら各部の端面を固定する枠の内側に、前記端面との間に白色反射体を非密着状態で配置し、前記透明体に光を導入することとしたので、夜間や暗所においても、表示パターンの発光により表示内容を明瞭に視認することができる。また、前記透明体と光源を一体に形成するとともに、該光源と一体に形成した部分と、前記表示マークを形成した部分とを分割可能とすることとしたので、構造の簡略化を図るとともに、光源部分のみの交換にも容易に対応し、作業性の向上を図ることができる。
【図面の簡単な説明】
【図１】本発明の実施形態１を示す図であり、（Ａ）は断面図，（Ｂ）は発光ダイオードの接続部を拡大して示す図である。
【図２】本発明の実施形態２の構成を示す図である。
【図３】本発明の実施形態３を示す図であり、（Ａ）は断面図，（Ｂ）は電池接続部を拡大して示す図である。
【図４】本発明の実施形態４を示す図であり、（Ａ）は分解斜視図，その矢印方向から透明板を見た状態が同図（Ｂ）に示されている。
【符号の説明】
１０…杖
１２…本体
１４…支柱
１６…つや消し部
１８…透明部
２０…キャップ
２２…白色反射板
２４…穴
２６…ケース
２８…石突き
３０…グリップ
３２…電池
３４…スイッチ
３６…ネジ部
３７〜３９…リード線
４０…連結部
４２Ａ…上端
４２Ｂ…下端
４４…ネジ部
５０…発光ダイオード
５２…チップ
５４…樹脂モールド
５６…基部
５８…液体シリコン
７０…杖
７２…本体
７４…支柱
７６…つや消し部
７８…透明部
８０…ケース
８２…発光窓
９０…浮き
９１…本体
９２…発光部
９４…収納部
９６…電池ケース
９８…電池
１００…マイナス端子
１０２…プラス端子
１０４…ポール
１０６…ケース
１０７…白色テープ
１０８…接触部
１１０…発光ダイオード
１１１…チップ
１１２…基部
１１４…受部
１１６，１１８…リード線
１５０…車椅子マーク
１５２…透明板
１５４…主部
１５４Ａ…表面
１５４Ｂ…裏面
１５６…照射部
１５８…マーク
１６０…枠
１６１…白色テープ
１６２…穴
１６３…嵌合部
１６４…基部
１６６…チップ
１６８…端子
１７０…背面板
【図１】
2004103373.tif 000003
【図２】
2004103373.tif 000004
【図３】
2004103373.tif 000005
【図４】
2004103373.tif 000006